(57)【要約】【課題】圧電素子を使用した発電における発電量や耐久性等の課題を解決すること。【解決手段】発電装置は、相互に間隔を隔てて並設された一対の緩衝材１４ａ、１４ｂと、これら振動板１２、圧電素子１１、及び複数の軸１３ａ、１３ｂとを備える。軸１３ｂにより、振動板１２をその周囲において支持し、軸１３ａにより、圧電素子１１を支持する。振動板１２と圧電素子１１を、その周縁に至るに伴って一対の緩衝材１４ａ、１４ｂの一方又は他方のいずれかに近づくように反った状態で配置し、一対の緩衝材１４ａ、１４ｂのいずれかが外力を受けた場合に、圧電素子１１及び振動板１２の周囲が変形することにより、当該圧電素子１２が発電する。【選択図】図２
2010154745.tif 000002
【特許請求の範囲】
【請求項１】
相互に間隔を隔てて並設された一対の緩衝材と、
前記一対の緩衝材の相互間に配置された、振動板、圧電素子、及び複数の軸とを備え、
前記振動板の少なくとも片面に前記圧電素子を接合し、
前記複数の軸として、前記一対の緩衝材の一方から前記振動板に至る軸と、前記一対の緩衝材の他方から前記圧電素子に至る軸を設け、
前記振動板に至る前記軸により、前記振動板をその周囲において支持し、
前記圧電素子に至る前記軸により、前記圧電素子を支持し、
前記振動板と前記圧電素子を、その周縁に至るに伴って前記一対の緩衝材の一方又は他方のいずれかに近づくように反った状態で配置し、
前記一対の緩衝材のいずれかが外力を受けた場合に、前記圧電素子及び前記振動板の周囲が変形することにより、当該圧電素子が発電すること、
を特徴とする発電装置。
【請求項２】
前記振動板と前記圧電素子を、その周縁に至るに伴って前記一対の緩衝材の一方に近づくように反った状態で配置したこと、
を特徴とする請求項１に記載の発電装置。
【請求項３】
前記振動板と前記圧電素子を、その周縁に至るに伴って前記一対の緩衝材の他方に近づくように反った状態で配置したこと、
を特徴とする請求項１に記載の発電装置。
【発明の詳細な説明】
【技術分野】
【０００１】
本発明は、圧電素子を使用した発電装置に関するものである。
【背景技術】
【０００２】
従来、圧電素子を使用した発電や風力発電や太陽光発電等環境にやさしい発電方法が知られえている。これらは総称として一般的に環境にやさしい発電方法であることからエコ発電と呼ばれている。これらの発電方法は、今日のように環境問題が注目されていることもあり我々の社会の中に普及し始めている。
【０００３】
また、近年日常生活において我々が情報を得る道具は携帯電話やインターネットを利用した端末機器等によるものが多くなってきた。
【先行技術文献】
【特許文献】
【０００４】
【特許文献１】特開２００４−２８２９１５号公報
【発明の概要】
【発明が解決しようとする課題】
【０００５】
しかしながら、これらの発電方法には各発電方法ごとに長所と短所がある。その短所として例えば、圧電素子を使用した発電では圧電素子に何らかの方法で外部から力を加えることにより発電を行うのであるが一般に、圧電素子は割れやすい素材であるため耐久性が小さいことやその発電量が少ないことが挙げられる。風力発電では設置する場所の面積の小さい小型風力発電の街中での普及が見られるが小型であるため発電量が少ないことが挙げられる。太陽光発電では設置するための広い面積を確保しなければならなく、その場所も太陽電池のメンテナンスを行いやすい所であることが望まれるためそのスペースの確保をどのようにするかが挙げられる。更に、これらの発電は発電を行う際に圧電素子による発電では圧電素子に外部から力が加わること、風力発電では風が吹くこと、太陽光発電では光があること等が前提になっているためその発電量は各発電機が設置された周囲の環境の変化に大きく依存することになる。
【０００６】
また、近年日常生活の中で我々が情報を得る道具の中心的存在の一つである携帯電話やインターネットを利用した端末機器はその多くが電力を必要とするものであるため外出中携帯電話のバッテリーが無くなったり台風や雷等による災害時に停電したりするとこれらの端末機器は何らかの方法で電力を供給しなければ利用できないことになる。しかしながら、これらの電子機器に電力を供給することが出来て且つ、台風や雷等による停電時の際等の緊急時において設置する場所を選ばず迅速に移動させることおよび長期間の発電が可能な発電装置は見受けられない。更に、台風や雷等による災害時での利用を想定した上で日常的に使用できる電力提供や周囲の地図、天候等の情報提供のサービス行う完全自家発電型の端末装置を常設することは利用が想定されるビジネスマンや観光客等にとってとても便利であり、このような電力情報提供端末装置の普及はこれからのIT、ユビキタス社会において様々なサービス提供の普及にも寄与するものであり、実際にIT、ユビキタス関連の研究者や技術者の間では既にこのような端末装置の普及が望まれている。
【０００７】
本発明は、このような問題に鑑みてなされたもので、その目的とするところは、圧電素子を使用した発電における上記に挙げた発電量や耐久性等の課題を解決することと、その上でこれらの発電を総合的に利用することにより発電装置を設置する場所や周囲の環境の変化に対応した安定的な発電を行うことを可能にする発電装置およびこの発電装置による安定的な電力の提供を提供することにある。
【課題を解決するための手段】
【０００８】
本発明は、このような課題を解決するためになされたもので、請求項１に記載の本発明は、相互に間隔を隔てて並設された一対の緩衝材と、前記一対の緩衝材の相互間に配置された、振動板、圧電素子、及び複数の軸とを備え、前記振動板の少なくとも片面に前記圧電素子を接合し、前記複数の軸として、前記一対の緩衝材の一方から前記振動板に至る軸と、前記一対の緩衝材の他方から前記圧電素子に至る軸を設け、前記振動板に至る前記軸により、前記振動板をその周囲において支持し、前記圧電素子に至る前記軸により、前記圧電素子を支持し、前記振動板と前記圧電素子を、その周縁に至るに伴って前記一対の緩衝材の一方又は他方のいずれかに近づくように反った状態で配置し、前記一対の緩衝材のいずれかが外力を受けた場合に、前記圧電素子及び前記振動板の周囲が変形することにより、当該圧電素子が発電することを特徴とする。
【０００９】
請求項２に記載の本発明は、請求項１に記載の本発明において、前記振動板と前記圧電素子を、その周縁に至るに伴って前記一対の緩衝材の一方に近づくように反った状態で配置したことを特徴とする。
【００１０】
請求項３に記載の本発明は、請求項１に記載の本発明において、前記振動板と前記圧電素子を、その周縁に至るに伴って前記一対の緩衝材の他方に近づくように反った状態で配置したことを特徴とする。
【発明の効果】
【００１１】
上記のように構成された本発明によれば、圧電素子による発電の発電量の増加とその耐久性を向上させることや、圧電素子による発電装置の製造の簡略化や製造コストの低減効果を得ることができる。
【図面の簡単な説明】
【００１２】
【図１】本発明の第１の実施形態についての発電装置の発電部を示す一部断面図および斜視図である。
【図２】本発明の第１の実施形態に関わる発電装置の発電部を示す一部断面図および斜視図である。
【図３】圧電素子を支える軸の配置および形を示す平面図である。
【図４】本発明の第２の実施形態についての発電装置の発電部を示す一部断面図である。
【図５】圧電素子を使用した発電装置を示す斜視図および発電装置内の圧電素子の配置を示す平面図である。
【図６】圧電素子を使用した発電装置の発電部を積層構造にしたときの一部断面図である。
【図７】本発明の第３の実施形態についての発電装置を示す斜視図である。
【図８】本発明の第４の実施形態についての発電装置を示す斜視図および断面図である。
【図９】本発明の第５の実施形態についての発電装置を示す斜視図および断面図である。
【図１０】本発明の第６の実施形態についての発電装置を示す断面図および斜視図である。
【図１１】本発明の第７の実施形態についての発電装置を示す斜視図である。
【図１２】本発明の第８の実施形態についての端末装置を示す斜視図である。
【発明を実施するための形態】
【００１３】
以下、図面を参照しながら本発明の実施形態について詳細に説明する。圧電素子は、加えられた圧力により変形することで電気を生じる。一般に、圧電素子はその発電量を増やすために加える圧力を大きくすると割れやすくなる。
【００１４】
図１に、本発明の第１の実態形態についての発電装置を示す。圧電素子１１は、例えば、圧電素材として、チタン酸バリウム、ジルコニア（ZrO２）等の圧電セラミックス、リチウムタンタレート（LiTaO３）等の圧電単結晶からなり、図１（ａ）に示すように、圧電素子１１は、振動板１２と接合された構造を持つ。この構造において振動板１２は、圧電素子１１を割れにくくする補強板としての働きもする。圧電素子１１および振動板１２は、圧電素子１１の中心を軸１３ａにより支えられ、振動板１２の周囲を軸１３ｂにより支えられているため外力が加わる際もその位置に留まっている。軸１３ａは木材、ポリエチレン、ゴム等の緩衝材１４ａと接合されており、軸１３ｂは木材、ポリエチレン、ゴム等の緩衝材１４ｂと接合されている。図１（ａ）に示す構造は圧電素子を使用した発電装置の基本となる構造である。図１（ｂ）に示すように、図１（ａ）の構造を持つ発電装置は外力として図１（ｂ）に示すような圧力Ｐ（この場合は上方向からの圧力）が加わると、（押されることで）圧電素子１１は圧電素子１１ａのように変形することにより発電する。この構造はてこの原理を利用しているため圧電素子１１を効率良く変形することが可能であり、その結果、圧電素子１１の変形による発電も効率良くなるのである。
【００１５】
このとき、変形した圧電素子１１ａが過剰に変形して破損することを防止するために軸１３ｂの先にはストッパーの働きをするストッパー１５を有することにより圧電素子１１ａを保護する。この構造により、圧電素子を使用した発電を安定的に行うことが可能となる。このとき、例えば、図１（ｂ）の隙間Ｏ１に示すように振動板１２を軸１３ｂに完全に接合せずに振動板１２および圧電素子１１ａが変形する際にその変形の阻害とならないように隙間（「あそび」の部分）が出来るようにしても良い。
【００１６】
例えば、直径４．０ｃｍの円形で厚さ２００μｍの振動板に直径２．５ｃｍの円形で厚さ２００μｍの圧電素子を接合させたものでは、圧電素子の中心を支える軸は直径０．５ｃｍで高さ０．２ｃｍの円柱形のもので、振動板の周囲を支える軸の先のストッパーは厚さ０．１５ｃｍとすると良い。
【００１７】
図１（ｃ１）は図１（ａ）の構造を斜め下から見た図である。図１（ｃ２）は図１（ａ）の構造を斜め上から見た図である。圧電素子１１は振動板１２の片面のみに接合する場合の他にも図１（ｃ１）と図１（ｃ２）に示すように、圧電素子１１は振動板１２の両面に接合しても良い。更に、圧電素子および振動板は円形以外の形であっても良い。例えば、圧電素子および振動板の形を三角形や四角形等の角形とすることも良い他楕円形等にしても良い。そして、これらの圧電素子および振動板をそれ自体が全体的に反るような形にしても良い。このときの反り方は、図２（ａ）に示すように、軸１３ａを中心に圧電素子および振動板の周囲が軸１３ａのある面と反対側に反るようにしても良い。このようにすると、圧電素子の発電力が増す効果がある。一方、図２（ｂ）に示すように、軸１３ａを中心に圧電素子および振動板の周囲が軸１３ａのある面と同じ側に反るようにしても良い。このようにすると、圧電素子の強度が増す効果がある。
【００１８】
図１（ｄ１）は圧電素子および振動板を長方形にする場合の図１（ａ）の構造を斜め下から見た図の例として挙げる。同様に、図１（ｄ２）は圧電素子および振動板を長方形にする場合の図１（ａ）の構造を斜め上から見た図の例として挙げる。このようにする場合、軸１３ａおよび軸１３ｂの形も同図に示すような形にしても良い。
【００１９】
軸１３ｂの本数は振動板１２の周囲を支えるために必要な力によって調節すると良い。図１（ｃ１）、（ｃ２）は軸１３ｂを三本使用した例であるが発電装置に加える圧力を大きくする場合および加える圧力が大きくなると見込まれる場合には図２（ｃ１）のように軸１３ｂの本数を三本以上使用すると良い。必要であれば図２（ｃ２）のように軸１３ｂを振動板１２の周囲を全体的に囲むようにしても良い。勿論、発電装置に加える圧力を小さくする場合および加える圧力が小さくなると見込まれる場合には使用する軸１３ｂの本数を三本以下にすることも良い。
【００２０】
図２（ｄ）は、図１（ａ）の構造を並べて配置した例であり、本発明の第１の実施形態については図２（ｄ）のようにすることが出来る。
【００２１】
図３に、圧電素子１１を支える軸１３ａの配置および形を示したものである。図３（ａ）、（ｂ）、（ｃ）、（ｄ）、（ｅ）、（ｆ）、（ｇ）、（ｈ）に示すように、軸１３ａは圧電素子１１の中心を通る線上に少なくとも一つ以上配置することおよび軸１３ａの形は円柱形または四角柱等の立体形である。こうすることで、外力による圧力変化に対して圧電素子を効率良く変形させることが可能となる。なお、軸１３ａは緩衝器となる働きも兼ねるようにゴム、プラスチック等の弾性材料を使用しても良い。
【００２２】
図４に、本発明の第２の実施形態についての発電装置を示す。振動板１９に接合された圧電素子１８は、軸１３ｃにより支えられており、図４（ａ）に示すように振動板１７によって隣り合う圧電素子１８および振動板１９は繋がった構造になっている。この構造により、外力による生じる圧力変化（図４（ａ）の場合は上からの圧力変化）を振動板１７が振動板１９および圧電素子１８へ伝えることにより圧電素子１８を変形させ発電させることが可能となる。このとき、圧電素子１８の過剰な変形を防止するためのストッパーは図４（ａ）、（ｂ）に示すように振動板１９に接合させたストッパー１６ａおよび緩衝材２０ａに接合させたストッパー１６ｂを有する構造とする。勿論、この構造においてストッパー１６ａおよびストッパー１６ｂは厚さを厚くすることでどちらか一方のみを有する構造とすることも可能である。
【００２３】
図５（ａ）は、図１から図４（ａ）、（ｂ）に示す構造を有する圧電素子を使用した発電装置２０の全体図の例である。図５（ａ）に示す圧電素子を使用した発電装置の内部の圧電素子の配置を図５（ｂ）および図５（ｃ）に示す。図５（ｂ１）、（ｂ２）に示すように、円形の圧電素子１１ｃにおいて各圧電素子は任意の面積における配置密度を高くするため正三角形を隙間無く並べたときの交点に配置すると良い。図５（ｃ１）、（ｃ２）に示すように、長方形の圧電素子１１ｒにおいて各圧電素子は任意の面積における配置密度を高くするため二組の圧電素子を並べて正方形に配置をしたものを一セットとして、この正方形を９０度ずつ回転させて敷き詰めるように配置すると良い。これらのような配置は任意の面積に出来るだけ蜜に圧電素子を敷き詰められるだけでなく、加える外力の方向が緩衝材１４ｂに対して垂直方向以外の場合、例えば、斜め方向からの圧力変化であっても圧電素子１１による発電効率の低下を抑え、垂直方向からの圧電変化と同様の発電量を見込める発電をするも可能である。
【００２４】
図６（ａ）、（ｂ）は、圧電素子を使用した発電の発電量を増加させるために図１から図５に示す構造を有する発電装置において発電装置内に内蔵する圧電素子１１を複数重ねた積層にする場合の構造を示したものである。このとき、圧電素子１１を重ねることで外力が伝わりにくくならないように振動板１２の周囲を軸１３ｃにより支えることにより隙間Ｏ２を作ると良い。
図７に、本発明の第３の実施形態についての発電装置を示す。圧電素子を使用した発電装置２１は、図１から図６に示す構造を有する発電装置であって、並べられた発電装置２１を隣同士繋げる軸２２および軸受け２３によって構成されている。このような構造をとることにより、軸２２が軸受け２３内において回転、移動することで、並べられた発電装置２１は折りたたむことおよび丸めることにより図７（ａ）に示す状態から図７（ｂ１）および図７（ｂ２）に示す状態へ変形させることが可能となる。並べられた発電装置２１の隣同士を繋げる構造は図７（ｃ）に示すように軸２４および軸受け２５によって構成されても良い。このような構造をとる場合は、並べられた発電装置２１は折りたたむことおよび丸めることにより図７（ｄ１）および図７（ｄ２）に示す状態へ変形させることが可能となる。発電装置２１の変形の途中経過（図７（ａ）のに示す状態から図７（ｂ１）に示す状態への変形および図７（ｃ）に示す状態から図７（ｄ１）に示す状態への変形過程）を図７（ｅ）および図７（ｆ）に示す。
【００２５】
図１から図７に示す構造は、これらの構造を有することで圧電素子を使用した発電装置において構造簡略化することが可能となるため、製造コスト低減にも繋がる。
【００２６】
図８に、本発明の第４の実施形態についての発電装置を示す。発電装置３１は、圧電素子を使用した発電装置であって、発電装置３１は、発電装置２１の構造を有する発電装置としても良く、発電装置３１の少なくとも一方の面に太陽電池３２およびペルチェ素子やゼーベック素子等を使用した温度差発電装置３３等の太陽光発電装置を有する発電装置である。図８（ａ）、（ｂ）、（ｃ）に示すように、太陽電池３２および温度差発電装置３３は硬質ガラスまたは硬質塩化ビニル等の透明な樹脂３４で覆われているため、外力による圧力変化の影響は受けることが無く、密閉された状態にある。この構造は太陽電池３２および温度差発電装置３３に対する劣化防止ならびに防水効果もある。そのため、耐久性にも優れた構造になっている。
【００２７】
図９に、本発明の第５の実施形態についての発電装置を示す。発電装置４１は、圧電素子を使用した発電装置であって、発電装置４１は、発電装置２１の構造を有する発電装置としても良く、発電装置４１の少なくとも一方の面に発光ダイオード４２や液晶パネル４３や有機ＥＬ４４や電光掲示板４５等によるディスプレイ機能を有する発電装置であって、これらのディスプレイで表示する文字や画像や映像や音等の情報を処理する機能持つインターネットに接続可能なコンピュータ４６を有する発電装置である。図９（ａ）、（ｂ）に示すように、発光ダイオード４２や液晶パネル４３や有機ＥＬ４４や電光掲示板４５は硬質ガラスまたは硬質塩化ビニル等の透明な樹脂４７で覆われているため、外力による圧力変化の影響は受けることが無く、密閉された状態にある。この構造は発光ダイオード４２や液晶パネル４３や有機ＥＬや電光掲示板４４に対する劣化防止ならびに防水効果もある。そのため、耐久性にも優れた構造になっている。
【００２８】
図１０に、本発明の第６の実施形態についての発電装置を示す。発電装置５１ａは垂直軸風車５２を使用した風力発電装置であって、垂直軸風車５２は、例えば、サボニウス型風車やダリウス型風車からなり、図１０（ａ）に示すように、周囲を風力誘導装置５３ａによって覆われている。このようにして、風力を風力入り口Ｅに収集することにより垂直軸風車５２の片側の羽にのみ当てることで風力による抵抗（垂直軸風車５２の回転を妨げる力）を受けることなく、垂直軸風車５２を回転させることが可能となる。更に、図１０（ｂ）に示すように、発電装置５１ｂは垂直軸風車５２を風力誘導装置５３ｂによって覆うことにより風力を垂直軸風車５２の片側の羽にのみ当てることで風力による抵抗を受けることなく、垂直軸風車５２を回転させることが可能となる。垂直軸風車５２は図１０（ｄ）に示すように、複数の垂直軸風車５２を縦に並べることにより、発電量を増加させることも出来る。発電装置５１ａおよび発電装置５１ｂの全体像をそれぞれ図１０（ｃ）および図１０（ｅ）に示す。発電装置５１ａおよび発電装置５１ｂは、それぞれ回転軸５４ａおよび回転軸５４ｂを有することならびに風力誘導装置５３ａおよび風力誘導装置５３ｂの形状により風向きに応じて回転することにより向きを変えることが出来る。
【００２９】
図１１に、本発明の第７の実施形態についての発電装置を示す。図１１（ａ）は、振動の力を利用することにより発電する圧電素子を使用した発電装置であって、振動板６１ｂに接合された圧電素子６１ａは図１１（ｄ１）に示すように、直角に曲げられた振動板６３ａと接合されており、同振動板６３ａの端にはゴム、鉛等の重りが接合された状態で土台６４に接合されている。図１１（ｂ）は、振動の力を利用することにより発電する圧電素子を使用した発電装置であって、振動板６１ｂに接合された圧電素子６１ａは図１１（ｄ２）に示すように、曲線状の振動板６３ｂと接合されており、同振動板６３ｂの端にはゴム、鉛等の重りが接合された状態で土台６４に接合されている。図１１（ｄ３）に示すように、圧電素子６１ａに接合する振動板は振動板６３ｃのように４５度の角度となるように曲げたものとすることも出来る。これらのようにすることにより、外力による振動が重り６２ａを揺らすことで、その動きが振動板６３ａおよび６３ｂおよび６３ｃを伝わることによって、圧電素子６１ａによる発電を行うことが出来る。このとき、重り６２ａの縦方向、横方向および斜め方向等全ての方向の動きを振動板６３ａおよび振動板６３ｂおよび振動板６３ｃを曲げたことで「ねじれ」の動きを利用することにより、振動板６３ａおよび振動板６３ｂおよび振動板６３ｃは伝えることが可能となる。その際、振動板６３ａおよび振動板６３ｂと土台６４は圧電素子６１ａに対して正面に向かい合わないようにずらす頃で「ねじれ」の動きを圧電素子６１ａにより効率的に伝えることが出来るようになる。図１１（ｃ）は振動の力を利用することにより発電する圧電素子を使用した発電装置において、重り６２ａを羽６２ｂに変えることにより風を受けることで発電することも可能となる。それから、圧電素子６１ａに接合する振動板６３ａおよび６３ｂおよび６３ｃの数は二つ以上にすることも可能である。この例を図１１（ｅ）に示す。図１１に示す構造において重り６２ａおよび重り６２ｂの全ての動きを伝える必要の無い場合は振動板６３ａおよび６３ｂおよび６３ｃは直線としても良い。更に、振動板６３ａおよび６３ｂおよび６３ｃの長さを変えることにより様々な振動周波数の重りの動きに対して共振するように調節することも可能である。
【００３０】
図１２に、本発明の第８の実施形態についての端末装置を示す。電力情報提供端末装置７１は、移動可能な設置式の端末装置であって、携帯電話、ＰＨＳ、パソコン、携帯情報端末等の小型電子機器の充電装置７２と、ディスプレイ装置７３および無線ＬＡＮ、ＭＡＮ、ＷＡＮ等の通信機能によりインターネットに接続可能なコンピュータ７４を有することにより、電力供給と情報提供を行う機能を持つ端末装置である。電力情報供給端末装置７１は、図１から図１１に示す発電装置の少なくとも一つの発電装置によって発電した電力を充電する蓄電装置と蓄電装置から供給される電力を使用して動作する、携帯電話、ＰＨＳ、パソコン、携帯情報端末等の小型電子機器の充電装置７２と、ディスプレイ装置７３および無線ＬＡＮ、ＭＡＮ、ＷＡＮ等の通信機能によりインターネットに接続可能なコンピュータ７４を有することにより、電力供給と情報提供を行う機能を持つ端末装置とすることにより環境にやさしいエコ発電によって電力および情報の供給、提供を行うことが可能となる。図１２（ａ）は電力情報提供端末装置７１の全体図の一例である。ディスプレイ装置７３はタッチパネル機能を有するものとしても良い。太陽電池７５ａおよび手動式発電機７５ｂを補助電源として電力情報提供端末装置７１の設置することも良い。この他にも、応用として例えば発電装置２１に無線装置７７およびコンピュータ７４を取り付けたものを人や車等の移動情報を感知する圧力感知装置７６として利用することも可能である。このことは、通勤ラッシュや交通渋滞の整理を行う際に周囲の込み具合を把握したい箇所に圧力感知装置７６を設置することで発電頻度や発電量から各地点の通行量の情報を得てそれを無線通信することにより効率的に交通整理を行うことが出来る等に役立つのである。
【実施例１】
【００３１】
電力情報提供端末装置７１は、移動可能な設置式の端末装置であって、携帯電話、ＰＨＳ、パソコン、携帯情報端末等の小型電子機器の充電装置７２と、ディスプレイ装置７３および無線ＬＡＮ、ＭＡＮ、ＷＡＮ等の通信機能によりインターネットに接続可能なコンピュータ７４を有することにより、電力供給と情報提供を行う機能を持つ端末装置である。電力情報供給端末装置７１は、図１から図１１に示す発電装置の少なくとも一つの発電装置によって発電した電力を充電する蓄電装置と蓄電装置から供給される電力を使用して動作する、携帯電話、ＰＨＳ、パソコン、携帯情報端末等の小型電子機器の充電装置７２と、ディスプレイ装置７３および無線ＬＡＮ、ＭＡＮ、ＷＡＮ等の通信機能によりインターネットに接続可能なコンピュータ７４を有することにより、電力供給と情報提供を行う機能を持つ端末装置とすることにより環境にやさしいエコ発電によって電力および情報の供給、提供を行うことが可能となる。図１２（ａ）は電力情報提供端末装置７１の全体図の一例である。ディスプレイ装置７３はタッチパネル機能を有するものとしても良い。太陽電池７５ａおよび手動式発電機７５ｂを補助電源として電力情報提供端末装置７１の設置することも良い。この他にも、応用として例えば発電装置２１に無線装置７７およびコンピュータ７４を取り付けたものを人や車等の移動情報を感知する圧力感知装置７６として利用することも可能である。このことは、通勤ラッシュや交通渋滞の整理を行う際に周囲の込み具合を把握したい箇所に圧力感知装置７６を設置することで発電頻度や発電量から各地点の通行量の情報を得てそれを無線通信することにより効率的に交通整理を行うことが出来る等に役立つのである。
【００３２】
（付記）
付記１に記載の発明は、人や車等の物体が動く際に生じる圧力変動により発電する発電装置であって、強い圧力変動に対しても圧電素子を破損すること無く発電することを可能にする圧電素子の過剰な変形を防止するストッパーを有することを特徴とする。
【００３３】
付記２に記載の発明は、付記１に記載の発電機は、物体の移動によって生じる圧力変動を圧電素子に効率よく伝えるための振動板と圧電素子を支え圧力変動を受け止める軸を圧電素材の少なくとも一方の面に持つ構造を有することを特徴とする。
【００３４】
付記３に記載の発明は、付記２に記載の前記軸は、圧電素材の中心を通る線上に少なくとも一つ以上有することを特徴とする付記１および付記２に記載の発電装置。
【００３５】
付記４に記載の発明は、物体の移動によって生じる圧力変動により発電する圧電素子を使用した発電装置であって、前機構を有する発電装置であって、複数の圧電素材を圧電素材がずれないようにその周囲を支え収納することで積層にすることにより発電量を増す構造を有することを特徴とする発電装置。
【００３６】
付記５に記載の発明は、前機構を有する小型発電装置を並べそれらを繋げる軸と軸受けをつけることにより発電装置全体を折りたたむことおよび丸めることの可能な構造を有するものであり移動可能であることを特徴とする発電装置。
【００３７】
付記６に記載の発明は、物体の移動によって生じる圧力変動により発電する圧電素子を使用した発電装置であって、少なくとも一方の面に、表面を硬質ガラスや硬質塩化ビニル等の透明な樹脂で覆うことにより強度を上げた太陽エネルギーによる発電を行う太陽電池および温度差発電装置を有することを特徴とする発電装置。
【００３８】
付記７に記載の発明は、物体の移動によって生じる圧力変動により発電する圧電素子を使用した発電装置であって、少なくとも一方の面に、表面を硬質ガラスや硬質塩化ビニル等の透明な樹脂で覆うことにより強度を上げた発光ダイオードや液晶パネルや有機ELや電光掲示板等によるディスプレイ機能を有する発電装置であって、これらのディスプレイで表示する文字や画像や映像や音等の情報を処理する機能持つインターネットに接続可能なコンピュータを有することを特徴とする発電装置。
【００３９】
付記８に記載の発明は、少なくとも一つ以上の垂直軸風車を縦に重ねた風力発電装置であって、外側に発電装置を覆い風向きに対応して回転する風力誘導装置を有することにより風力の収集能力を向上させることおよび風力による風車の回転を妨げる抵抗を無くすことを特徴とする発電装置。
【００４０】
付記９に記載の発明は、振動の力で発電する圧電素子を使用した発電装置であって、圧電材料の周囲に少なくとも一つ以上の角度を持って曲げられた振動板が接合された圧電素子において、振動板と振動板に接合した重りを有することによって縦方向と横方向と斜め方向の振動周波数で共振することで発電することを特徴とする圧電素子の発電装置。
【００４１】
付記１０に記載の発明は、移動可能な設置式の電力情報提供端末装置であって、携帯電話、ＰＨＳ、パソコン、携帯情報端末等の小型電子機器の充電装置と、ディスプレイ機能および無線ＬＡＮ、ＭＡＮ、ＷＡＮ等の通信機能によりインターネットに接続可能なコンピュータを有することにより、電力供給と情報提供を行う機能を持つことを特徴とする電力情報提供端末装置。
【００４２】
付記１１に記載の発明は、移動可能な設置式の電力情報提供端末装置であって、付記１、付記２、付記３、付記４、付記５、付記６、付記７、付記８または付記９のいずれかに記載の発電装置の全てあるいは一部によって発電した電力を充電する蓄電装置と蓄電装置から供給される電力を使用して動作する携帯電話、ＰＨＳ、パソコン、携帯情報端末等の小型電子機器の充電装置と、ディスプレイ機能および無線ＬＡＮ、ＭＡＮ、ＷＡＮ等の通信機能によりインターネットに接続可能なコンピュータを有することにより、電力供給と情報提供を行う機能を持つことを特徴とする電力情報提供端末装置、総合的に利用する発電システムに関するものである。
【００４３】
（付記の効果）
上記付記のように構成された本発明によれば、圧電素子による発電、風力発電や太陽光発電等のエコ発電装置の発電量の増加とその耐久性を向上させることおよび圧電素子による発電装置の製造簡略化、製造コスト低減効果ならびに、これらの発電装置にインターネットに接続可能なコンピュータならびにディスプレイ機能等を有すること更に移動容易性ならびに設置容易性を有したことで、周囲の環境の変化にも対応して安定的な電力供給と情報提供を行うことが出来る。
【産業上の利用可能性】
【００４４】
電力情報提供端末装置を駅やコンビニエンスストアおよび公園等に設置することにより日常的に携帯電話やデジタルカメラ等の小型電子機器の充電を行えるためこれらの機器を電池の残量を気にすることなく使うことが出来、且つ、台風や雷等による停電時の際等の緊急時において設置する場所を選ばず迅速に移動させることおよび長期間の発電が可能なため防災対策としても役立つ。更に、日常的に使用できる電力需給や周囲の地図、天候等の情報提供のサービス行う完全自家発電型の端末装置を常設することは利用が想定されるビジネスマンや観光客等にとってとても便利であり、このような電力情報提供端末装置の普及はこれからのIT、ユビキタス社会において様々なサービス提供の普及にも寄与するものと思われる。
【００４５】
現在、広告業界ではこれまでに無い技術を広告に利用する需要が大きい。何故なら、一般に広告において先ずは目に付くことが重要である。これに対して、新しくこれまでに無い技術やものは注目されやすいため、特に街中でのＣＭ媒体としてそれを広告に使いたいのである。そのため、応用として電力情報供給端末装置は様々なディスプレイ装置を有することも可能なため新しい広告媒体としても産業上利用可能である。
【符号の説明】
【００４６】
１１、１１ａ、１８、６１ａ  圧電素子
１２、１７、１９、６１ｂ、６３ａ、６３ｂ、６３ｃ  振動板
１３ａ、１３ｂ、１３ｃ  軸
１４ａ、１４ｂ、２０ａ、２０ｂ  緩衝材
１５、１６ａ、１６ｂ  ストッパー
２０、２１、３１、４１、５１ａ、５１ｂ  発電装置
２２、２４  軸
２３、２５  軸受け
３２、７５ａ  太陽電池
３３  温度差発電装置
３４、４７  樹脂
４２  発光ダイオード
４３  液晶パネル
４４  有機ＥＬ
４５  電光掲示板
４６、７４  コンピュータ
５２  垂直軸風車
５３ａ、５３ｂ  風力誘導装置
５４ａ、５４ｂ  回転軸
６２ａ  重り
６２ｂ  羽
６４  土台
７１  電力情報提供端末装置
７２  充電装置
７３  ディスプレイ装置
７５ｂ  手動式発電機
７６  圧力感知装置
７７  無線装置
【図１】
2010154745.tif 000003
【図２】
2010154745.tif 000004
【図３】
2010154745.tif 000005
【図４】
2010154745.tif 000006
【図５】
2010154745.tif 000007
【図６】
2010154745.tif 000008
【図７】
2010154745.tif 000009
【図８】
2010154745.tif 000010
【図９】
2010154745.tif 000011
【図１０】
2010154745.tif 000012
【図１１】
2010154745.tif 000013
【図１２】
2010154745.tif 000014